(57)【要約】【課題】  ニュース番組等の放送情報を効率的に蓄積し、メディアリテラシー能力を育成するツールとして利用する放送システムとその受信装置とを提供することを目的とする。【解決手段】  映像を受信し再生させるコンピュータを、放送の送出主体よりある記事についてのシーンを得る手段と、該シーンに現れるエンティティの情報を得る手段と、該エンティティの該情報をシーン蓄積リストに登録する手段と、該記事の該シーンがシーン蓄積リストに既に存在するか否かを判定する手段と、放送の送出主体を分類する手段と、該記事の該シーンのうち、前記放送の送出主体の分類間で差異のある部分を提示するよう受信装置に指示を送信する手段として機能させるためのプログラム。【選択図】  図１
2005176034.tif 000002
【特許請求の範囲】
【請求項１】
映像を受信し再生させるコンピュータを、
放送の送出主体よりある記事についてのシーンを得る手段と、
該シーンに現れるエンティティの情報を得る手段と、
該エンティティの該情報をシーン蓄積リストに登録する手段と
該記事の該シーンがシーン蓄積リストに既に存在するか否かを判定する手段と、
放送の送出主体を分類する手段と、
該記事の該シーンのうち、前記放送の送出主体の分類間で差異のある部分を提示するよう受信装置に指示を送信する手段と
して機能させるためのプログラム。
【請求項２】
映像を受信し再生させるコンピュータを、
放送の送出主体よりある記事についてのシーンを得る手段と、
該シーンに現れるエンティティの情報を得る手段と、
該エンティティの該情報をシーン蓄積リストに登録する手段と
該記事の該シーンがシーン蓄積リストに既に存在するか否かを判定する手段と、
放送の送出主体を分類する手段と、
該記事の該シーンのうち、前記放送の送出主体の分類間で差異のある部分を提示するよう受信装置に指示を送信する手段と
して機能させるためのプログラムを記録したコンピュータ可読である記憶媒体。
【請求項３】
放送の送出主体よりある記事についてのシーンを得る手段と、
該シーンに現れるエンティティの情報を得る手段と、
該エンティティの該情報をシーン蓄積リストに登録する手段と
該記事の該シーンがシーン蓄積リストに既に存在するか否かを判定する手段と、
放送の送出主体を分類する手段と、
該記事の該シーンのうち、前記放送の送出主体の分類間で差異のある部分を提示するよう受信装置に指示を送信する手段と
を備えることを特徴とした映像受信再生装置。
【請求項４】
放送の送出主体よりある記事についてのシーンを得るステップと、
該シーンに現れるエンティティの情報を得るステップと、
該エンティティの該情報をシーン蓄積リストに登録するステップと
該記事の該シーンがシーン蓄積リストに既に存在するか否かを判定するステップと、
放送の送出主体を分類するステップと、
該記事の該シーンのうち、前記放送の送出主体の分類間で差異のある部分を提示するよう受信装置に指示を送信するステップと
を備えることを特徴とした映像受信再生方法。
【発明の詳細な説明】
【技術分野】
【０００１】
本発明は、映像を受信し再生する装置において、ニュースなどの情報を効率的に蓄積し、視聴者の求めに応じて効率的に再生することができるようにするものである。
【背景技術】
【０００２】
デジタル放送では、映像・音声データと云った番組の本体と多重化して、EPG（Electric Program Guide：電子番組表）の情報を構成する番組編成情報や、番組に含まれるシーンをシーンの時間的位置により指定することで定義するインデックス情報などを送ることが可能であり、こうしたデジタル放送の特性を利用して、様々な利用法が考えられている。
【０００３】
例えば近年、視聴者にはテレビやラジオ、コンピュータなどメディアの情報を的確に判断する力が求められている。映像の送り手としてはいかに視聴者に番組の意図を読み解いてもらうか、さらには批判を含めて多様な「読み方」をしてもらうかという事が必要になる。つまり視聴者は情報を批判的に読み解き、多様なメディアを駆使して自らも情報発信を行う「メディアリテラシー」能力を育成し、持つことが不可欠となる。各放送局等では編集などによって、送信される映像中に主観的な切り口が入っている。そこで視聴者には、これら主観の違いを読み解くことが求められている。
【０００４】
このようなことを支援するツールとして、ニュース等の記事の分類を行う方法が考えられる。特開2000-287138「放送システムと、その情報参照方法及び受信装置」においては、ニュース番組等の情報を効率的に再生し視聴を可能にする放送システムを提供する件に関する。送信装置から送信されたシーンを、受信装置で蓄積した後再生する放送システムにおいて、送信装置が、放送するシーンの管理情報としてこのシーンの更新属性を送信する。受信装置では、蓄積したシーンの中から、更新属性が差し替えのシーンに対して差し替え用のシーンを受信したときにシーンの差し替えを行い、蓄積しているシーンの中の関連情報を識別して、ユーザの求めに応じて提示するようにしている。
【０００５】
そして、特開2000-115165「送信装置および送信方法、受信装置および受信方法、並びに送受信装置および送受信方法」においては、放送局において、コンテンツDBに登録されたコンテンツが更新されると、その更新を行うためのデータが放送ネットワークを介して送信される。一方、受信端末では、該コンテンツの更新が行われる方式を提案している。
【発明の開示】
【発明が解決しようとする課題】
【０００６】
しかし、この方式では、ある特定の時刻に放送されたニュース番組１つに対して１つのインデックス情報が存在するだけであり、ニュース番組を跨がって複数記事の関係を扱うことができなかった。すなわち、蓄積した１回のニュース番組の中から記事を選択して再生することができるだけであって、例えば複数の放送局であっても系列局等の傾向の似た放送局ごとに切り分け、照らし合わせた再生視聴を効率的に行うことができない。
【０００７】
本発明は、こうした従来の問題点を解決するものであり、ニュース番組等の放送情報を効率的に蓄積し、メディアリテラシー能力を育成するツールとして利用する放送システムとその受信装置とを提供することを目的としている。
【課題を解決するための手段】
【０００８】
以上の課題を解決するため、本発明におけるプログラムは映像を受信し再生させるコンピュータを、ある記事についてのシーンを得る手段と、該シーンに現れるエンティティの情報を得る手段と、該エンティティの該情報をシーン蓄積リストに登録する手段と該記事の該シーンがシーン蓄積リストに既に存在するか否かを判定する手段と、放送の送出主体を分類する手段と、該記事の該シーンのうち、前記放送の送出主体の分類間で差異のある部分を提示するよう受信装置に指示を送信する手段として機能させるためのプログラムである。
【０００９】
また、本発明におけるコンピュータ可読である記憶媒体は、映像を受信し再生させるコンピュータを、ある記事についてのシーンを得る手段と、該シーンに現れるエンティティの情報を得る手段と、該エンティティの該情報をシーン蓄積リストに登録する手段と該記事の該シーンがシーン蓄積リストに既に存在するか否かを判定する手段と、放送の送出主体を分類する手段と、該記事の該シーンのうち、前記放送の送出主体の分類間で差異のある部分を提示するよう受信装置に指示を送信する手段として機能させるためのプログラムを記録したコンピュータ可読である記憶媒体である。
【００１０】
また、本発明における映像受信再生装置は、ある記事についてのシーンを得る手段と、該シーンに現れるエンティティの情報を得る手段と、該エンティティの該情報をシーン蓄積リストに登録する手段と該記事の該シーンがシーン蓄積リストに既に存在するか否かを判定する手段と、放送の送出主体を分類する手段と、
該記事の該シーンのうち、前記放送の送出主体の分類間で差異のある部分を提示するよう受信装置に指示を送信する手段とを備える。
【００１１】
また、本発明における映像受信再生方法は、ある記事についてのシーンを得るステップと、該シーンに現れるエンティティの情報を得るステップと、該エンティティの該情報をシーン蓄積リストに登録するステップと該記事の該シーンがシーン蓄積リストに既に存在するか否かを判定するステップと、放送の送出主体を分類するステップと、該記事の該シーンのうち、前記放送の送出主体の分類間で差異のある部分を提示するよう受信装置に指示を送信するステップとを備える。
【発明の効果】
【００１２】
以上述べたように、本発明における映像受信再生装置には、ニュース番組等の放送情報を効率的に蓄積し、メディアリテラシー能力を育成するツールとして利用する放送システムとその受信装置とを提供するという効果がある。
【発明を実施するための最良の形態】
【００１３】
以下、図面を参照して本発明の好適な実施形態を詳細に説明する。
【００１４】
本実施形態における映像受信再生装置は、以下のような放送システムの環境において動作するものとする。すなわち、図１に示すように、1ないし複数の放送の送出装置100,110…と、地上波放送や衛星放送あるいはCATV、インターネットなどの伝送手段300と、放送を受信し再生する映像受信再生装置200である。送出装置100,110…は、番組の映像・音声データを生成・送出する映像送出手段11と、番組インデックスを生成・送出する番組インデックス送出手段12と、各手段から出力されたデータを多重化する多重器13と、多重器13から出力された信号を変調する変調器14とを備えている。
【００１５】
また、映像受信再生装置200は、放送波等の受信信号を受信する受信手段21と、多重化している受信信号から映像・音声データ、番組インデックスを分離する分離手段22と、映像・音声データをデコードする再生手段23と、スピーカやCRTから成る提示手段24と、番組インデックスを取得する付加情報取得手段25と、映像・音声データや付加情報を蓄積する蓄積手段26と、各部を制御するCPU27と、CPU27の作業領域に使用されるメモリ28と、キーボードやマウス等の入力手段29を備えている。
【００１６】
この放送システムでは、送出装置100,110…の映像送出手段11が番組の映像音声データを多重器14に出力し、また、番組インデックス送出手段12は、番組インデックスとして、後述する記事管理情報（図2）とシーン定義情報（図3）とエンティティ定義情報（図4）とを作成して多重器13に出力する。以下では説明のため表形式にしているが、実際にはXML形式で番組インデックスが送信される。
記事管理情報（図2）は、記事IDと、記事名、記事に属するシーンのシーンID列と放送局名が記述される。例えば図2における例では、記事ID2300の記事は「野中氏と鈴木氏が会談」という記事名であり、該記事のシーンはシーンID250〜254のシーンであり、テレビAによる放送であることを記述している。なお記事IDは本実施例では簡単のために各放送局間で同じ記事に対しては同一であるとされているものとするが、記事名を元に同一性の判定を行うことも可能である。記事名の同一性の判定手法については、例えば、特開2000-287138「放送システムと、その情報参照方法及び受信装置」にある手法を利用するが,本発明ではその手法については特に限定するものではない。
【００１７】
シーン定義情報（図3）では、シーンIDと、後述するエンティティ定義情報中のエンティティID、該シーン中での意味的な場所名、該シーン中での意味的な時刻とが記述される。例えば図3における例では、シーンID250のシーンにはエンティティ31と32とが出現し、該シーンは国会議事堂で2001年2月20日13時55分に撮影されたものであることを記述している。
【００１８】
エンティティ定義情報（図4）はあるシーンに出現するエンティティの名前、そのエンティティが行っているイベント名とが記述される。例えば図4における例では、エンティティID31は野中氏が会談していることを記述している。
【００１９】
こうして番組インデックス送出手段12で作成された番組インデックスは、映像送出手段11から出力され映像・音声データとともに多重器13で多重化され、変調器14で変調され、伝送手段30によって受信装置へ向けて送信される。
【００２０】
一方、受信装置20では、受信手段21が放送波等の受信信号を受信し、分離手段22が、多重化されている受信信号を映像・音声データ、および番組インデックスに分離する。分離された映像・音声データは蓄積手段26に蓄積される。また、リアルタイム視聴が行われるときは、分離された映像・音声データが再生手段23にも入力し、デコードされた映像・音声データが提示手段24から表示される。また、分離された番組インデックスは付加情報取得手段25で取得され、蓄積手段26に格納される。
【００２１】
CPU27は、付加情報取得手段25が取得したXML形式の番組インデックスからXMLを解釈し、蓄積手段26に蓄積する記事のシーン蓄積情報（図5）および蓄積リスト（図6）を作成し、蓄積手段26に格納する。
【００２２】
シーン蓄積情報（図5）は、蓄積手段26に蓄積されているシーンと、該シーンが放送された放送局名、該シーン中に登場するエンティティとの対応関係が記述される。And/Or行は、該当の列の該名前と該イベント名の組が複数の記事に現れた場合はAnd、そうでない場合はOrとする。図5の例では、野中氏が話しているというエンティティは記事ID2300のシーンID250に出現し、しかもAnd/Or行がAndなので他の記事IDを持つ記事にも野中氏が会談しているシーンが存在していて、「テレビA」によるのシーンが選択されていることを示す。一方鈴木氏が車に乗るというエンティティは、記事ID2300のシーンID251のシーンにのみ登場し、And/Or行がOrなので、他の記事には存在しないことを示す。なおエンティティレベルでシーンの一致度を判定するために、後述するように記事IDと名前とイベント名と場所名との組が一致すれば、該当のシーン同士は一致していると判定する。
【００２３】
シーン蓄積リスト（図6）は、蓄積手段26に蓄積されているシーンと、該シーン中に登場するエンティティとの対応関係が記述される。And/Or行は、該当の列の該名前と該動作の組が複数の記事に現れた場合はAnd、そうでない場合はOrとする。図6の例では、野中氏が会談しているというエンティティは記事ID2300のシーンID250に出現し、しかもAnd/Or行がAndなので他の記事IDを持つ記事にも野中氏が会談しているシーンが存在していることを示す。一方鈴木氏が車に乗るというエンティティは、記事ID2300のシーンID251のシーンにのみ登場し、And/Or行がOrなので、他の記事には存在しないことを示す。
【００２４】
累積シーン長情報（図7）は、同一記事IDに関して蓄積装置26中に蓄積されているシーンのシーン長が記述される。図7に示した例では、記事ID2300の記事は1分00秒蓄積されていることを示す。
【００２５】
提示リスト（図8）は、視聴者に提示するシーンIDと対応する映像のファイル名、およびそのシーンが放送された放送局名が記述される。例えば図8における例では、シーンID251はテレビA、シーンID252はテレビBで放送されたシーンであり、ファイル名はそれぞれ「File251.mpg」「File252.mpg」であることを記述している。なおシーンID250は図5の蓄積リストで記述したAnd/OrがAndであるシーン、つまり複数の放送局で放送された共通シーンであることを記述している。そのため放送局名には放送局名と重複しない、例えば「AND」と特殊な記号を記述する。
【００２６】
放送局グルーピングリスト（図9）は、放送局等の放送の送出主体に関するグループ分けが記述される。例えば図9における例では、テレビAとBSAとB放送、CテレビとDテレビが同一のグループに属していることを記述している。
【００２７】
シーンの移り変わりの検出には、例えば、谷口行信，外村佳伸，浜田洋「映像ショット切換え検出法とその映像アクセスインターフェイスへの応用」信学論D-II,Vol.J79-D-II, No.4などにある手法を利用するが、本発明ではその手法について限定するものではない。
【００２８】
図10は、各放送局より送信されたある１つの記事について、同一記事での共通シーン部分および差異のあるシーン部分を抽出する手続きを示したフローチャートである。以下このフローチャートに基づいて本装置における同一記事での共通シーン部分および差異のあるシーン部分を抽出する動作を説明する。
【００２９】
まずステップ101では、該記事についてそのIDを元に、記事管理情報を検索し全てのシーンIDを得て、メモリ28に格納する。図2に挙げた例では、記事ID2300の記事に対して、シーンIDとして、250,251,252,253,254を得る。
【００３０】
ステップ102では、メモリ28中からシーンIDを1つ取り出し、該シーンIDを元にシーン定義情報を検索し、全てのエンティティIDと場所とを得て、メモリ28に格納する。図3に挙げた例では、例えばシーンID250に対して、エンティティID31,32と場所名「国会議事堂」を得る。
【００３１】
ステップ103では、メモリ28中からエンティティIDを1つ取り出し、該エンティティIDを元にエンティティ定義情報を検索し、名前とイベント名を得る。図4に挙げた例では、例えばエンティティID31に対して、名前「野中氏」イベント名「会談」を得る。
【００３２】
ステップ104では、該記事IDと該場所と該名前と該動作を図6に示したシーン蓄積リストに登録されているものと比較する。もし存在すればステップ105へ移る。存在しなければステップ106へ移る。以上に挙げた例では、記事ID2300と場所名「国会議事堂」と名前「野中」とイベント名「会談」の３つをキーとして、シーン蓄積リストより検索する。
【００３３】
ステップ105では、シーン蓄積リスト中の該当列のAnd/OrにAndと登録し、ステップ107へ移る。以上に挙げた例では、記事ID2300と場所名「国会議事堂」と名前「野中」とイベント名「会談」の３つをキーとする列が存在するので、And/Or行はAndとする。
【００３４】
ステップ106では、テーブルに新規な列として、該名前と該動作と該場所と該シーンIDと該記事IDを登録しAnd/OrにOrと登録する。
【００３５】
ステップ107では、まだステップ103による操作が行われていないエンティティIDが存在するか否か判定する。もしあればステップ103へ戻る。
【００３６】
ステップ108では、まだステップ102による操作が行われていないシーンIDが存在するか否かを判定する。もしあればステップ102へ戻る。
【００３７】
図11-1は、本装置の利用者が放送の送信主体のグループ分けを登録する手続きを示したフローチャートである。以下のこのフローチャートに基づいて、放送の送信主体のグループ分けを登録する動作を説明する。
【００３８】
ステップ201では、蓄積手段26より図9で示した放送局グルーピングリストを読み出し、提示手段24にグルーピング状況を表示する。図11-2は提示手段24に表示される放送の送信主体のグループ分けの一例である。例えば図9-1における例では、テレビAとBSAとB放送、CテレビとDテレビが同一のグループに属しているので、図11-2では、テレビAとBSAとB放送をグループ1、CテレビとDテレビをグループ2として表示している。
【００３９】
ステップ202では、利用者による放送の送信主体名とグループIDとの入力を受信する。例えば、放送の送信主体名が「BSD」グループIDが2であったとする。
ステップ203では、前記ステップ202で受信した放送の送信主体名とグループIDを図9-1で示した放送局グルーピングリストに登録し、蓄積手段26に格納する。
【００４０】
ステップ204では、ステップ202で受信したグループIDが放送局グルーピングリストに存在するか否かを判定する。もし存在すればステップ205に移る。存在しなければステップ206に移る。ステップ202の例では、グループID2は図9で示した放送局グルーピングリスト中に存在するので、ステップ205に移る。もしステップ202において、放送の送信主体名が「テレビB」グループID3を入力されたとすれば、グループID3は図9で示した放送局グルーピングリスト中に存在しないので、ステップ205に移る。
【００４１】
ステップ205では、該グループに放送の送信主体名を追加して表示する。ステップ202に示した例では、図11-3に示すように新たにグループ2に「BSD」が追加されている。
【００４２】
ステップ206では、新たにグループを作成し、放送の送信主体名を表示する。ステップ204の後半で示した例では、図11-4に示すように新たにグループ3が作られ「テレビB」が表示される。
【００４３】
ステップ207では利用者による登録終了信号を受信したか否かを判定する。もし登録終了であれば本手続きを終了する。登録終了でなければステップ202に戻る。
【００４４】
図12は、先に述べた、各放送局より送信されたある１つの記事について、同一記事での共通シーン部分および差異のあるシーン部分を抽出する手続きによって得られたシーン群について、差異のある部分を視聴者に提示する手続きを示したフローチャートである。以下このフローチャートに基づいて、視聴者に提示する動作について説明する。
【００４５】
ステップ301では、図6に示したシーン蓄積リストより記事IDを全て取り出す。
ステップ302では、前記ステップ301で取り出した記事IDを1つ取り出し、これを元に、図11に示した蓄積リストを検索し、And/OrがAndであるようなシーンIDを全て取り出す。例えば記事ID2300に対して、図6-2に示した例では記事IDが2300であるシーンIDとして320が取り出される。
【００４６】
ステップ303では、前記ステップ302で取り出した記事IDを元に、図6-1に示したシーン蓄積リストを検索し、And/OrがOrであるようなシーンIDと放送局名を全て取り出す。例えば記事ID2300に対して、図6-2に示した例では記事IDが2300であるシーンID251と放送局名「テレビA」、シーンID431と放送局名「Cテレビ」、シーンID530と放送局名「BSA」が取り出される。
【００４７】
ステップ304では、前記ステップ302で取り出したシーンIDを提示リストに加え、放送局名は「AND」とする。図6-2に示した例では、シーンID320が提示リストに加わる。
【００４８】
ステップ305では、前記ステップ303で取り出した放送局名を元に、図9-1で示した放送局グルーピングリストを検索し、グループIDを得る。図6-2に示した例ではシーンID251と放送局名「テレビA」に対してグループID１、シーンID431と放送局名「Cテレビ」に対してグループID3、シーンID530と放送局名「BSA」に対してグループID1が取り出される。
【００４９】
ステップ306では、前記ステップ303で取り出したシーンIDと前記ステップ605で取り出したグループIDの組を提示リストに加える。図6-2に示した例では、シーンID251とグループID1、シーンID431とグループID2、シーンID530とグループID1が提示リストに加わる。
【００５０】
ステップ307では記事IDとシーンIDを元に図5-2で示したシーン蓄積情報を検索し、対応するファイル名を取り出し,提示リストに加える。図6-2および図5-2に示した例では、シーンID320に対してファイル名「File320.mpg」、シーンID251に対してファイル名「File251.mpg」、シーンID431に対して「File431.mpg」、シーンID530に対して「File530.mpg」が提示リストに加わる。
【００５１】
ステップ308では、ステップ301で取り出した記事IDのうち、まだステップ302による操作を加えられていないシーンIDが存在するか否かを判定する。まだ存在すればステップ302に戻る。存在しなければステップ309に移る。
【００５２】
ステップ309では、記事IDを元に図2で示した記事管理情報を検索し、得られた記事名を提示手段24に提示する。例えば、記事ID2300の「野中氏と鈴木氏が会談」、続いて記事ID2301の「土井氏が講演」が提示される。
【００５３】
ステップ310では、視聴者による記事の視聴要求を受信する。例えば記事ID2300の「野中氏と鈴木氏が会談」が要求されたとする。
【００５４】
ステップ311では、グループIDが「AND」であるものを除き、グループIDをキーに提示リストを並び替える。
【００５５】
ステップ312では、前記ステップ310で受信した視聴要求に基づき、ステップ302〜ステップ308で生成した提示リストを参照し、該当シーンを提示装置24に提示する。
【００５６】
以上、実施例を詳述したが、本発明は、複数の機器から構成されるシステムに適用しても良いし、また、単体の機器から成る装置に適用しても良いしLANなどのネットワークを介して処理が行われるシステムに適用しても良い。
【００５７】
また、本発明の目的は、前述した実施形態の機能を実現するソフトウェアのプログラムコードを記録した記憶媒体を、システムあるいは装置に供給し、そのシステムあるいは装置のコンピュータ（またはCPUやMPU）が記憶媒体に格納されたプログラムコードを読出し実行することによっても、達成されることは言うまでもない。その場合、プログラムの機能を有していれば、形態は、プログラムである必要はない。
【００５８】
従って、プログラムの機能を有していれば、オブジェクトコード、インタプリタにより実行されるプログラム、OSに供給するスクリプトデータ等、プログラムの形態を問わない。
【００５９】
プログラムを供給するための記憶媒体としては、例えば、フロッピィディスク、ハードディスク、光ディスク、光磁気ディスク、MO、CD−ROM、CD−R、CD−RW、磁気テープ、不揮発性のメモリカード、ROM、DVDなどを用いることができる。
この場合、記憶媒体から読出されたプログラムコード自体が前述した実施形態の機能を実現することになり、そのプログラムコードを記憶した記憶媒体は本発明を構成することになる。
【００６０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバやftpサーバ等も本発明の請求項に含まれるものである。
【００６１】
また、本発明のプログラムを暗号化してCD−ROM等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６２】
また、コンピュータが読出したプログラムコードを実行することにより、前述した実施形態の機能が実現されるだけでなく、そのプログラムコードの指示に基づき、コンピュータ上で稼働しているOS（オペレーティングシステム）などが実際の処理の一部または全部を行い、その処理によって前述した実施形態の機能が実現される場合も含まれることは言うまでもない。
【００６３】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるCPUなどが実際の処理の一部または全部を行い、その処理によって前述した実施形態の機能が実現される場合も含まれることは言うまでもない。
【図面の簡単な説明】
【００６４】
【図１】本装置を含む放送システムの全体構成図。
【図２】第1の実施形態における記事管理情報。
【図３】シーン定義情報。
【図４】エンティティ管理情報。
【図５】図５−１はシーン蓄積情報、図５−２はシーン蓄積情報。
【図６】図６−１は蓄積リスト、図６−２は蓄積リスト。
【図７】累積シーン長情報。
【図８】提示リスト。
【図９】図９−１は放送局グルーピングリスト、図９−２、図９−３は放送局グルーピングリスト。
【図１０】第１の実施形態における各放送の送信主体より送信されたある１つの記事について、同一記事での共通シーン部分および差異のあるシーン部分を抽出する手続きを示したフローチャート。
【図１１】図１１−１はフローチャート、図１１−２、図１１−３、図１１−４は図１１−１に示したフローチャートによる提示手段２４における画面遷移の一例を示した図。
【図１２】各放送の送信主体より送信されたある１つの記事について、同一記事での共通シーン部分および差異のあるシーン部分のうち、差異のある部分に着目して提示する手続きを示したフローチャート。
【符号の説明】
【００６５】
１００，１１０  送出装置
２００  映像受信再生装置
３００  伝送手段
１１  映像送出手段
１２  番組インデックス送出手段
１３  多重器
１４  変調器
２１  受信手段
２２  分離手段
２３  再生手段
２４  提示手段
２５  付加情報取得手段
２６  蓄積手段
２７  CPU
２８  メモリ
２９  入力手段
【図１】
2005176034.tif 000003
【図２】
2005176034.tif 000004
【図３】
2005176034.tif 000005
【図４】
2005176034.tif 000006
【図５】
2005176034.tif 000007
【図６】
2005176034.tif 000008
【図７】
2005176034.tif 000009
【図８】
2005176034.tif 000010
【図９】
2005176034.tif 000011
【図１０】
2005176034.tif 000012
【図１１】
2005176034.tif 000013
【図１２】
2005176034.tif 000014